(57)【要約】【課題】高負荷でハンドルを巻き取り操作しても、その回転が重くなることがない魚釣用スピニングリールを提供する。【解決手段】魚釣用スピニングリールは、ハンドル５の回転操作によって回転駆動されるドライブギア７に噛合し、先端にロータ２が固定されたピニオンギア８と、前端側に釣糸が巻回されるスプール３を装着し、ピニオンギア８に挿通されるスプール軸３ａと、スプール軸の後端側を支持し、ドライブギアの駆動に伴ってスプール軸を前後方向に往復駆動させるオシレート機構１２とを有する。スプール軸３ａは、ドライブギア７とピニオンギア８の噛合範囲Ｗの前方でピニオンギア８の内面８ｆで支持されると共に、後端部でオシレート機構１２の摺動体１５に支持され、噛合範囲Ｗの後方では、ピニオンギア８及びリール本体１に対して非支持であることを特徴とする。【選択図】図１
2015065835.tif 000002
【特許請求の範囲】
【請求項１】
リール本体に回転可能に支持されたハンドルの回転操作によって回転駆動されるドライブギアに噛合し、先端にロータが固定されたピニオンギアと、
前端側に釣糸が巻回されるスプールを装着し、前記ピニオンギアに挿通されるスプール軸と、
前記スプール軸の後端側を支持し、前記ドライブギアの駆動に伴ってスプール軸を前後方向に往復駆動させるオシレート機構と、
を有する魚釣用スピニングリールにおいて、
前記スプール軸は、前記ドライブギアとピニオンギアの噛合範囲の前方で前記ピニオンギアの内面で支持されると共に、後端部で前記オシレート機構の摺動体に支持され、前記噛合範囲の後方では、前記ピニオンギア及びリール本体に対して非支持であることを特徴とする魚釣用スピニングリール。
【請求項２】
前記ピニオンギアには、後端面から前方に向けて、最大でピニオンギアの全長の８０％の範囲の座繰りが形成されていることを特徴とする請求項１に記載の魚釣用スピニングリール。
【請求項３】
前記スプール軸は、前記噛合範囲の前方で、前記ピニオンギアの内面に複数個所で支持されていることを特徴とする請求項１又は２に記載の魚釣用スピニングリール。
【請求項４】
前記ピニオンギアは、噛合範囲よりも前方でリール本体に対して軸受支持されていることを特徴とする請求項１から３のいずれか１項に記載の魚釣用スピニングリール。
【請求項５】
前記ピニオンギアは、噛合範囲の前後両側でリール本体に対して軸受支持されていることを特徴とする請求項１から３のいずれか１項に記載の魚釣用スピニングリール。
【発明の詳細な説明】
【技術分野】
【０００１】
本発明は、魚釣用スピニングリールに関し、詳細には、ドライブギアによって回転駆動されるピニオンギア、及び、釣糸が巻回されるスプールを前後往復動可能に支持し、前記ピニオンギアに挿通されるスプール軸の支持構造に特徴を有する魚釣用スピニングリールに関する。
【背景技術】
【０００２】
従来、魚釣用スピニングリールは、ハンドルを回転操作することで回転駆動されるロータと、釣糸が巻回され前後方向に往復駆動されるスプールとを備えた構成となっている。一般的に知られているように、前記ロータは、ハンドル軸に装着されたドライブギアと噛合し、ハンドル軸と直交する方向に回転可能に支持されたピニオンギアの前端にロータナットによって固定されることで回転駆動され、前記スプール軸は、前記ピニオンギアに挿通され、ドライブギアによって駆動されるオシレート機構（往復動装置）によって前後方向に往復駆動される。
【０００３】
前記スプール軸は、ハンドルを回転操作した際、回転駆動されているピニオンギアを挿通した状態で往復駆動されるため、スプールに大きな負荷が作用してスプール軸が撓むとピニオンギアの内面とスプール軸との接触圧が大きくなり、これによりスプール軸の摺動抵抗が増大しハンドルの回転操作が重くなってしまう。
【０００４】
そこで、例えば、特許文献１に開示されているように、ピニオンギアの内面に軸方向に沿って凹所（隙間）を形成し、ピニオンギアの内面とスプール軸との間に隙間を形成することが知られている。このような凹所は、ピニオンギアの内面に座繰りや中繰りを形成することで、スプール軸を部分的に支持するようにしたものであり、ピニオンギアの内部の２箇所でスプール軸を支持したもの（図５、図６）、及び、スプール軸を、ピニオンギアの先端側の内部の１箇所で支持すると共に、ピニオンギアの後方の近傍でリール本体に対して支持したもの（図７）が開示されている。
【先行技術文献】
【特許文献】
【０００５】
【特許文献１】特開２００１−２５８４３８号
【発明の概要】
【発明が解決しようとする課題】
【０００６】
前記ピニオンギアには、ドライブギアが噛合されて回転駆動力が伝達されるが、歯部は後方側に形成されており、この部分（ドライブギアと噛合する噛合範囲）では、ハンドルを回転操作して動力を伝達する際に、ピニオンギアに対して下方（内挿するスプール軸側）に向けて大きな負荷を生じさせる。上記した従来技術では、スプール軸を、ピニオンギアの範囲内の２箇所で支持するか、ピニオンギアの前方側で支持すると共にピニオンギアの後端部の近傍でリール本体に支持しており、スプール軸の支持部がドライブギアとピニオンギアの噛合範囲に軸方向で比較的、近接した状態となっている。
【０００７】
上記した噛合範囲にスプール軸の支持部が存在すると、ハンドル回転操作時の噛合時における下向きの負荷が直接、支持部に加わることとなり、これが前後動するスプール軸の外周面に対する摩擦摺動抵抗となってハンドルの回転操作が重くなる。また、噛合範囲に支持部が存在していなくても、ピニオンギア後端の近傍（歯部から近い部分）でスプール軸を支持していると、ピニオンギアに対してハンドル回転時に下方に押し付ける負荷が作用した際、噛合範囲の前方の支持部を介してスプール軸を撓ませようとする力が作用し、これがピニオンギア後端近傍の支持部においてスプール軸外周を支持する軸受を径方向に変形（楕円に変形）させるような負荷となり、結果として、前後動するスプール軸に対する摩擦摺動抵抗となってハンドルの回転操作が重くなる。すなわち、噛合範囲内のピニオンギアの内周でスプール軸を支持したり、噛合範囲を挟んだ短い距離でピニオンギア後方のリール本体でスプール軸を支持することは、高負荷巻き取り時にピニオンギアに下向きの負荷が作用した際、スプール軸に対する摺動抵抗が生じ易くなり、滑らかなハンドルの回転操作に影響を及ぼしてしまう。
【０００８】
本発明は、上記した問題に着目してなされたものであり、高負荷でハンドルを巻き取り操作しても、その回転が重くなることがない魚釣用スピニングリールを提供することを目的とする。
【課題を解決するための手段】
【０００９】
上記した目的を達成するために、本発明に係る魚釣用スピニングリールは、リール本体に回転可能に支持されたハンドルの回転操作によって回転駆動されるドライブギアに噛合し、先端にロータが固定されたピニオンギアと、前端側に釣糸が巻回されるスプールを装着し、前記ピニオンギアに挿通されるスプール軸と、前記スプール軸の後端側を支持し、前記ドライブギアの駆動に伴ってスプール軸を前後方向に往復駆動させるオシレート機構と、を有しており、前記スプール軸は、前記ドライブギアとピニオンギアの噛合範囲の前方で前記ピニオンギアの内面で支持されると共に、後端部で前記オシレート機構の摺動体に支持され、前記噛合範囲の後方では、前記ピニオンギア及びリール本体に対して非支持であることを特徴とする。
【００１０】
上記した構成の魚釣用スピニングリールによれば、スプール軸は、ドライブギアとピニオンギアの噛合範囲の前方のピニオンギアの内面の支持部と、摺動体の支持部との間は、ピニオンギア及びリール本体に対して非支持状態（非接触状態）が維持されている。このため、ハンドルを回転操作した際、ドライブギアとピニオンギアの噛合範囲には、大きな負荷（ピニオンギアを下向きに押し付ける負荷）が加わるものの、その部分は、スプール軸と接触していないため、ピニオンギアが撓んでもスプール軸と接触することが避けられ摺動抵抗が発生することはない。また、スプール軸は、噛合範囲の前方でピニオンギアの内面に支持されているため、ピニオンギアに大きな負荷が作用すると、この支持部を介してスプール軸を撓ませようとする力が作用するものの、このような力が作用しても、スプール軸は、ピニオンギアの後端部近傍ではリール本体に対して支持されていないため、摺動抵抗が作用することもない。すなわち、オシレート機構を介して前後方向に駆動されるスプール軸には、ハンドル巻き取り操作時にピニオンギアとの噛合範囲に大きな負荷が作用しても、ハンドルの巻き取り操作に支障をきたす摺動抵抗が作用することはなく、円滑な巻き取り操作が行える。
【００１１】
なお、上記した構成において、スプール軸が、噛合範囲の後方でピニオンギアに対して非支持である、とは、スプール軸がピニオンギアの内面に対して接触しないように、ピニオンギアの後端面には、噛合範囲の前方に至るまで、スプール軸が挿通される部分に座繰りが形成されていることを意味する。また、スプール軸が、リール本体に対して非支持とは、スプール軸が軸受やカラー等によってリール本体に対して支持されていないことを意味する。
【発明の効果】
【００１２】
本発明によれば、高負荷でハンドルを巻き取り操作しても、その回転が重くなることがない魚釣用スピニングリールが得られる。
【図面の簡単な説明】
【００１３】
【図１】本発明に係る魚釣用スピニングリールの第１の実施の形態を示す図であり、内部構成を示した図。
【図２】図１に示す魚釣用スピニングリールを後方から見た部分断面図。
【図３】図２に示すオシレート機構の摺動体の変形例を示す図。
【図４】図１の要部拡大図。
【図５】本発明に係る魚釣用スピニングリールの第２の実施の形態を示す図であり、内部機構の要部拡大図。
【図６】本発明に係る魚釣用スピニングリールの第３の実施の形態を示す図であり、内部機構の要部拡大図。
【図７】第３の実施の形態の変形例を示す図であり、内部機構の要部拡大図。
【図８】本発明に係る魚釣用スピニングリールの第４の実施の形態を示す図であり、内部機構の要部拡大図。
【発明を実施するための形態】
【００１４】
以下、本発明に係る魚釣用スピニングリールの実施形態について図面を参照しながら具体的に説明する。
図１から図４は、本発明に係る魚釣用スピニングリールの第１の実施形態を示し、図１は内部構成を示した図、図２は図１に示す魚釣用スピニングリールを後方から見た部分断面図、図３は図２に示すオシレート機構の摺動体の変形例を示す図、そして、図４は図１の要部拡大図である。
【００１５】
魚釣用スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００１６】
前記リール本体１内には、ハンドル軸５ａが回転可能に支持されており、その突出端部には、ハンドル５が取り付けられている。また、ハンドル軸５ａには、巻取り駆動機構が係合しており、この巻取り駆動機構は、ハンドル軸５ａに取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合関係となる。このため、図４の符号Ｗで示す長さが両ギアの噛合範囲となる。
【００１７】
前記ピニオンギア８の前方側には、雄螺子部８ｃが形成されており、前記ロータ２の中心孔をピニオンギアの前端部に嵌合し、この部分にロータナット９を締め付けることで、ロータ２は、ピニオンギア８に対して固定される。
【００１８】
本実施形態のピニオンギア８は、噛合範囲Ｗの前方（スプール側）の２箇所で軸受１０ａ，１０ｂを介してリール本体１に回転可能に支持されており、その空洞部８ａには、ハンドル軸５ａと直交する方向に延出し、先端側に前記スプール３を装着したスプール軸３ａが軸方向に移動可能に挿通されている。この場合、ピニオンギア８の中間領域の外周には、公知の一方向クラッチ１１が配設されており、リール本体１の後方に回動可能に支持された切換レバー１１ａを切換操作することで、ピニオンギア（ロータ）の回転状態を切り換え可能にしている（両方向の回転状態／釣糸巻き取り方向のみの回転状態を切り換える）。前記軸受は、前方側において、前記ピニオンギア８に対して回り止めされる一方向クラッチ１１の内輪１１ｂとリール本体１との間に設置され（軸受１０ａ）、後方側において、前記噛合範囲Ｗの近傍にワッシャ１０ｃを介して設置される（軸受１０ｂ）。
【００１９】
前記ピニオンギア８には、スプール３（スプール軸３ａ）を前後往復動させるための往復動装置（オシレート機構）１２が係合している。
本実施形態の往復動装置１２は、リール本体内に回転可能に支持され、スプール軸３ａと平行に延出する螺軸（ウォームシャフト）１３と、前記スプール軸３ａの後端部に固定される摺動体（オシレーティングスライダ）１５とを備えている。前記螺軸１３の前端部には、前記ピニオンギア８と噛合するオシレートギア１６が設けられており、前記ハンドル５を回転操作することで、螺軸１３は、前記ドライブギア７、ピニオンギア８及びオシレートギア１６を介して回転駆動されるようになっている。
【００２０】
前記螺軸１３の周面には、軸方向に沿って螺旋状のカム溝１３ａが形成されており、このカム溝１３ａに、後述する摺動体１５に収容保持された係合ピン１８の係合爪１８ａが係合されている。
【００２１】
前記摺動体１５は、円筒状の収容孔１５ａを有する本体１５Ａを備えており、この本体１５Ａがスプール軸３ａの後端部に取り付けられて、スプール軸３ａの後端は支持された状態となっている。この場合、スプール軸３ａの後端部分には、断面が非円形でハンドル軸の軸方向と直交する平坦面３ｂが形成されており、この平坦面３ｂに対して、抜け止め部材（プレート）２０が当て付けられて、ハンドル軸方向から止めネジ２１が螺入されることで、スプール軸３ａは摺動体１５に対して回り止め固定されている。
【００２２】
前記本体１５Ａの円筒状の収容孔１５ａ内には、円柱状に構成された係合ピン１８が収容保持されており、その一端側（先端部）には、前記螺軸１３のカム溝１３ａに係合される係合爪１８ａが形成されている。また、他端側は前記抜け止め部材２０に当て付いて抜け止め保持されている。
【００２３】
前記本体１５Ａには、収容孔１５ａと直交する方向に向けて挿通部１５ｂが形成されており、前記螺軸１３を囲繞するようにして螺軸を挿通させている。また、前記本体１５Ａには、軸方向に沿うように係合溝１５ｃが形成されており、リール本体１に軸方向に沿って形成された凸状のガイドレール２３に係合されて、本体１５Ａは回り止めされた状態となって軸方向に案内される。なお、摺動体１５の案内については特に限定されることはなく、例えば、図３に示すように、リール本体内にスプール軸方向に沿ってシャフト２３ａを配設し、本体１５Ａをシャフト２３ａに貫通させることで案内するようにしても良い。
【００２４】
本実施形態のピニオンギア８は、前記噛合範囲Ｗの前方側で、スプール軸３ａを支持している。すなわち、噛合範囲Ｗにおいて、スプール軸３ａがピニオンギア８の内面に対して接触しないように、ピニオンギア８の後端面８ｄには、噛合範囲Ｗの前方に至るまで、スプール軸３ａが挿通される部分に座繰り８ｅが形成されており、スプール軸３ａは、噛合範囲Ｗの前方側の領域Ｌ１で、ピニオンギア８の内面８ｆに対して支持（１箇所で支持）された状態となっている。
【００２５】
また、スプール軸３ａは、ピニオンギア８の後端面８ｄから後方側では、リール本体１に対して非支持（軸受やカラー等によってリール本体に対して支持されていない）となっており、スプール軸３ａの後端が前記摺動体１５で支持された状態となっている。すなわち、スプール軸３ａは、噛合範囲よりも前方側でピニオンギア８の内面で支持されると共に、後端部で摺動体１５に支持された状態となっており、その間の領域は、他物と非接触状態が維持されている。
【００２６】
上記した構成の魚釣用スピニングリールによれば、ハンドル５を回転操作すると、ドライブギア７とピニオンギア８の噛合関係によってピニオンギア８が回転駆動され、ロータ２が回転駆動される。また、往復動装置１２の螺軸１３が、ピニオンギア８と噛合するオシレートギア１６を介して回転駆動され、摺動体１５は、螺軸１３に形成されたカム溝１３ａに係合する係合ピン１８を介して、安定した状態で前後方向に往復駆動される。すなわち、ハンドル５の巻き取り操作に伴って、ロータ２の回転と同期してスプール３は、摺動体１５に支持されたスプール軸３ａと共に前後往復動される。
【００２７】
上記した作用において、ハンドル５を回転操作した際、ドライブギア７とピニオンギア８の噛合範囲Ｗには、大きな負荷（ピニオンギア８を下向きに押し付ける負荷Ｐ）が加わるが、噛合範囲Ｗでは、ピニオンギア８とスプール軸３ａとの間に前記座繰り８ｅが形成されて隙間Ｇが維持されているため、負荷Ｐによってピニオンギア８に撓みが生じても、スプール軸３ａに接触するようなことはなく、スプール軸に摺動抵抗が発生することはない。すなわち、ハンドル５の回転操作が重くなるようなことはない。
【００２８】
また、スプール軸３ａは、噛合範囲Ｗの前方のピニオンギアの内面の支持部（支持領域Ｌ１）で支持されているため、ピニオンギア８に対して大きな負荷が作用すると、この支持部を介してスプール軸３ａを撓ませようとする力が作用するものの、このような力が作用しても、スプール軸３ａは、ピニオンギアの後端部近傍ではリール本体に対して支持されていないため、摺動時に他物から摺動抵抗が作用することもない。すなわち、ハンドル巻き取り操作時にピニオンギアに対して大きな負荷が作用しても、スプール軸３ａには摺動抵抗が作用することはなく、ハンドルの巻き取り操作が重くなるようなことはない。
【００２９】
さらに、前記ピニオンギア８は、噛合範囲Ｗよりも前方でリール本体１に対して複数の軸受１０ａ，１０ｂによって支持されているため、ピニオンギアの回転が安定すると共に、前記噛合範囲Ｗに大きな負荷Ｐが作用しても、ピニオンギア８を撓ませることが抑制され、スプール軸３ａに対する摺動抵抗を軽減することが可能となる。
【００３０】
図５は、本発明に係る魚釣用スピニングリールの第２の実施の形態を示す図であり、図４に示した構成と同様、内部機構の要部拡大図である。なお、以下の実施形態では、第１の実施形態と同一の構成要素については、同一の参照符号を付し、その詳細な説明については省略する。
【００３１】
この実施形態では、第１の実施形態の座繰り８ｅを更に深く形成して、噛合範囲Ｗよりも前方位置での支持領域Ｌ１を短くしている。すなわち、座繰り８ｅを深く形成することにより、スプール軸３ａに対する接触範囲（支持領域Ｌ１）を減らして、大きな負荷Ｐが作用した際、スプール軸３ａに対する摺動抵抗を軽減するとともに、ピニオンギアの軽量化を図ることが可能となる。具体的には、ピニオンギア８の全長をＬとした場合、座繰り８ｅを形成する範囲Ｌ２は、最大でピニオンギアの全長Ｌの８０％の範囲に設定することが好ましく、これにより、ピニオンギア８の軽量化、及びスプール軸３ａに対する接触範囲（支持領域）を減らして、ハンドルの回転をよりスムーズにすることが可能となる。なお、最小で前記噛合範囲Ｗを超える位置まで座繰りを形成しておくのが好ましいが、噛合範囲Ｗの中間点を超える位置まで座繰りを形成しておいても良い。また、以下の第３の実施形態のように、ピニオンギア８の前端面８ｈから摺動体側に向けて座繰りを形成しても良い。
【００３２】
図６は、本発明に係る魚釣用スピニングリールの第３の実施の形態を示す図であり、図４に示した構成と同様、内部機構の要部拡大図である。
【００３３】
この実施形態では、図６に示すように、ピニオンギア８の前端面８ｈから摺動体側に向けて座繰り８ｇを形成すると共に、中間領域に中繰り８ｉを形成している。このような構成では、スプール軸３ａは、噛合範囲Ｗの前方側で複数箇所（支持領域Ｌ１´，支持領域Ｌ１´´の２箇所）で支持された状態となり、これにより摺動抵抗の軽減が図れると共に、ピニオンギアを軽量化することが可能となる。また、支持領域については、ピニオンギアの先端側にすることで、スプール軸に対する負荷の影響を軽減することが可能となる。
【００３４】
なお、上記した噛合範囲Ｗの前方領域におけるピニオンギア８のスプール軸に対する支持領域Ｌ１，Ｌ１´，Ｌ１´´は、別途、カラー部材を介在したものであっても良い。例えば、図６に示す支持領域Ｌ１´，Ｌ１´´の部分にカラー２５を配設してスプール軸３ａを支持するものであっても良い（図７参照）。この場合、カラー２５は、中繰り８ｉと座繰り８ｇ，８ｅとの間に段差８ｊ，８ｋを形成しておき、端面側から挿入し、止め輪２６を配設することで位置決めすることが可能である。
【００３５】
図８は、本発明に係る魚釣用スピニングリールの第４の実施の形態を示す図であり、図４に示した構成と同様、内部機構の要部拡大図である。
【００３６】
この実施形態のピニオンギア８は、噛合範囲Ｗの前後両側に軸受１０ａ，１０ｂを配設することでリール本体１に回転可能に支持されている。
上記したように、噛合範囲Ｗでは、ハンドル回転操作時に大きな負荷Ｐが作用するものの、この大きな負荷が作用する両側でピニオンギア８を回転可能に支持することで、ピニオンギア８が安定して支持されるようになり、回転がスムーズになると共に、スプール軸３ａに対する撓みの影響をより軽減することが可能となる。
【００３７】
以上、本発明の実施形態について説明したが、本発明は、上記した実施形態に限定されることはなく、種々変形することが可能である。例えば、上記した実施形態では、往復動装置１２は、ウォームシャフトによって前後に往復動させるようにしているが、ギアオシレート方式として構成しても良い。また、噛合範囲Ｗの前方側でスプール軸３ａを支持していれば良く、ピニオンギアには複数の中繰りを形成しても良い。なお、スプール軸３ａを、噛合範囲Ｗの半分（５０％）の位置よりも前方側で支持すると共に、その後端を摺動体１５で支持し、その間を非接触とした構成にしても、スプール軸３ａに対する摺動抵抗を従来の構成よりも軽減することが可能である。
【符号の説明】
【００３８】
１  リール本体
２  ロータ
３  スプール
３ａ  スプール軸
７  ドライブギア
８  ピニオンギア
８ｅ，８ｇ  座繰り
１０ａ，１０ｂ  軸受
１２  オシレート機構
Ｐ  負荷
Ｗ  噛合範囲
【図１】
2015065835.tif 000003
【図２】
2015065835.tif 000004
【図３】
2015065835.tif 000005
【図４】
2015065835.tif 000006
【図５】
2015065835.tif 000007
【図６】
2015065835.tif 000008
【図７】
2015065835.tif 000009
【図８】
2015065835.tif 000010